(57)【要約】【課題】曲面部を含む表示装置を提供する。【解決手段】本発明の一実施形態による表示装置は、フロント表示領域、並びにフロント表示領域の周囲に位置する複数のサイド表示領域およびコーナー表示領域を含み、複数のサイド表示領域はフロント表示領域の第１側に位置する第１サイド表示領域と第２側に位置する第２サイド表示領域とを含み、コーナー表示領域はフロント表示領域のコーナーに位置し、第１サイド表示領域と第２サイド表示領域との間に位置して第１サイド表示領域および前記第２サイド表示領域と接続されており、フロント表示領域は平坦な表示面を有し、第１サイド表示領域、第２サイド表示領域、およびコーナー表示領域はそれぞれ曲面を有し、コーナー表示領域の曲面の形態は第１サイド表示領域および第２サイド表示領域の曲面形態と異なり、コーナー表示領域は延伸および／または収縮が可能である。【選択図】図２
2020086425.tif 000002
【特許請求の範囲】
【請求項１】
フロント表示領域、並びに前記フロント表示領域の周囲に位置する複数のサイド表示領域およびコーナー表示領域を含み、
前記複数のサイド表示領域は、前記フロント表示領域の第１側に位置する第１サイド表示領域と第２側に位置する第２サイド表示領域とを含み、
前記コーナー表示領域は、前記フロント表示領域のコーナーに位置し、前記第１サイド表示領域と前記第２サイド表示領域との間に位置して前記第１サイド表示領域および前記第２サイド表示領域と接続されており、
前記フロント表示領域は、平坦な表示面を有し、
前記第１サイド表示領域、前記第２サイド表示領域、および前記コーナー表示領域は、それぞれ曲面を有し、
前記コーナー表示領域の曲面の形態は、前記第１サイド表示領域および前記第２サイド表示領域の曲面形態と異なり、
前記コーナー表示領域は、延伸および／または収縮が可能である、表示装置。
【請求項２】
前記第１サイド表示領域および前記第２サイド表示領域は、延伸および／または収縮可能である、請求項１に記載の表示装置。
【請求項３】
前記フロント表示領域は、複数の第１表示単位を含み、
前記第１サイド表示領域および前記第２サイド表示領域は、複数の第２表示単位を含み、
前記コーナー表示領域は、複数の第３表示単位を含み、
前記第１サイド表示領域および前記第２サイド表示領域が前記曲面を成す前の状態における前記第２表示単位のピッチと、前記コーナー表示領域が前記曲面を成す前の状態における第３表示単位のピッチと、のうちの少なくとも一つのピッチは、前記第１表示単位のピッチより小さい、請求項２に記載の表示装置。
【請求項４】
前記第１サイド表示領域は、第１エッジを含み、
前記コーナー表示領域は、前記第１エッジに接続された第２エッジを含み、
前記第１サイド表示領域および前記第２サイド表示領域と前記コーナー表示領域とが前記曲面を成す前の状態で、
前記第１サイド表示領域の前記第１エッジに垂直な方向である第１方向への前記第２表示単位のピッチが前記第１方向への前記第１表示単位のピッチより小さく、
前記第２エッジに垂直な方向である第２方向への前記第３表示単位のピッチが前記第１方向への前記第１表示単位のピッチより小さい、請求項３に記載の表示装置。
【請求項５】
前記第１サイド表示領域および前記第２サイド表示領域と前記コーナー表示領域とが前記曲面を成す前の状態で、
前記第１方向への前記第２表示単位のピッチは、前記第１エッジに近づくほど次第に小さくなり、
前記第２方向への前記第３表示単位のピッチは、前記第２エッジに近づくほど次第に小さくなる、請求項４に記載の表示装置。
【請求項６】
前記第１サイド表示領域および前記コーナー表示領域の曲率半径をｒとする場合、
前記第１サイド表示領域および前記第２サイド表示領域と前記コーナー表示領域とが前記曲面を成す前の状態で、
前記第１エッジから前記第１サイド表示領域と前記フロント表示領域との境界までの距離はｒであり、前記第２エッジの長さはπｒ／２である、請求項５に記載の表示装置。
【請求項７】
前記第１サイド表示領域は、第１エッジを含み、
前記コーナー表示領域は、前記第１エッジに接続された第２エッジを含み、
前記第１サイド表示領域および前記コーナー表示領域の曲率半径をｒとする場合、
前記第１サイド表示領域の前記第１エッジから前記第１サイド表示領域と前記フロント表示領域との境界までの曲面上距離はπｒ／２であり、前記第２エッジの長さはπｒ／２である、請求項２に記載の表示装置。
【請求項８】
前記第１サイド表示領域および前記第２サイド表示領域は、前記コーナー表示領域より小さい延伸力および／または収縮力を有し、前記コーナー表示領域よりも前記フロント表示領域に近い延伸力および／または収縮力を有する、請求項１に記載の表示装置。
【請求項９】
前記コーナー表示領域は、前記曲面を成す前の状態で第１エッジを有し、前記曲面を成した後の状態で第２エッジを有し、
前記コーナー表示領域の曲率半径をｒとする場合、
前記コーナー表示領域と前記フロント表示領域との境界から前記第１エッジまでの距離はｒであり、前記コーナー表示領域が曲面を成した状態で前記境界から前記第２エッジまでの曲面上距離はπｒ／２であり、前記第２エッジの長さはπｒ／２である、請求項８に記載の表示装置。
【請求項１０】
前記コーナー表示領域は、前記曲面を成す前の状態で第１エッジを有し、前記曲面を成した後の状態で第２エッジを有し、
前記コーナー表示領域の曲率半径をｒとする場合、
前記コーナー表示領域と前記フロント表示領域との境界から前記第１エッジまでの距離はπｒ／２であり、前記コーナー表示領域が曲面を成した状態で前記境界から前記第２エッジまでの曲面上距離はπｒ／２であり、前記第２エッジの長さはπｒ／２であり、前記第１エッジの長さは（π／２）２ｒである、請求項８に記載の表示装置。
【請求項１１】
前記コーナー表示領域が前記曲面を成す場合、前記コーナー表示領域の少なくとも一部が収縮する、請求項１０に記載の表示装置。
【請求項１２】
前記第１サイド表示領域は、第１エッジを含み、
前記コーナー表示領域は、前記曲面を成す前の展開された状態で前記第１サイド表示領域の前記第１エッジと接続された第２エッジおよび前記第２エッジに接続された第３エッジを含み、
前記第２エッジおよび前記第３エッジは、それぞれ曲線を成し、
前記第３エッジは、前記コーナー表示領域が前記曲面を成す状態で前記第２サイド表示領域と接続されている、請求項８に記載の表示装置。
【請求項１３】
前記コーナー表示領域の曲率半径をｒとする場合、前記第２エッジの長さはπｒ／２である、請求項１２に記載の表示装置。
【請求項１４】
前記第１サイド表示領域は、第１エッジを含み、
前記コーナー表示領域は、前記曲面を成す前の展開された状態で、前記第１サイド表示領域の前記第１エッジと接続された第２エッジおよび前記第２エッジに接続された第３エッジを含み、
前記第２エッジは、曲線を成し、
前記第３エッジは、直線を成し、
前記第３エッジは、前記コーナー表示領域が前記曲面を成す状態で、延伸されて曲線を成して前記第２サイド表示領域と接続されている、請求項８に記載の表示装置。
【請求項１５】
前記コーナー表示領域の曲率半径をｒとする場合、前記第２エッジの長さはπｒ／２である、請求項１４に記載の表示装置。
【請求項１６】
フロント表示領域、並びに前記フロント表示領域の周囲に位置する複数のサイド表示領域およびコーナー表示領域を含み、
前記複数のサイド表示領域は、前記フロント表示領域の第１側に位置する第１サイド表示領域と第２側に位置する第２サイド表示領域とを含み、
前記コーナー表示領域は、前記フロント表示領域のコーナーに位置し、前記第１サイド表示領域と前記第２サイド表示領域との間に位置して前記第１サイド表示領域および前記第２サイド表示領域と接続されており、
前記フロント表示領域は、平坦な表示面を有し、
前記第１サイド表示領域、前記第２サイド表示領域、および前記コーナー表示領域は、それぞれ曲面を有し、
前記コーナー表示領域の曲面の形態は、前記第１サイド表示領域および前記第２サイド表示領域の曲面形態と異なり、
前記第１サイド表示領域は、第１エッジを含み、
前記コーナー表示領域は、前記曲面を成す前の展開された状態で前記第１サイド表示領域の前記第１エッジと接続された第２エッジおよび前記第２エッジに接続された第３エッジを含み、
前記第２エッジおよび前記第３エッジは、それぞれ曲線を成し、
前記第３エッジは、前記コーナー表示領域が前記曲面を成す状態で前記第２サイド表示領域と接続されている、表示装置。
【請求項１７】
前記第１サイド表示領域および前記コーナー表示領域の曲率半径をｒとする場合、前記第２エッジの長さはπｒ／２であり、前記第１サイド表示領域の前記第１エッジから前記フロント表示領域と前記第１サイド表示領域との間の境界までの距離はπｒ／２である、請求項１６に記載の表示装置。
【請求項１８】
前記第３エッジの長さは、πｒ／２である、請求項１７に記載の表示装置。
【請求項１９】
第１表示領域、および前記第１表示領域の周囲に位置する第２表示領域を含み、
前記第１表示領域は、平坦な表示面を有し、
前記第２表示領域は、曲面を有し、
前記第２表示領域は、前記第１表示領域に比べて高い伸縮性を有し、延伸された状態で前記曲面を成している、表示装置。
【請求項２０】
前記第１表示領域のコーナーは、丸い形態を有する、請求項１９に記載の表示装置。
【発明の詳細な説明】
【技術分野】
【０００１】
本開示は表示装置に関するものであって、特に曲面部を含む表示装置に関するものである。
【背景技術】
【０００２】
携帯電話、ナビゲーション、デジタルカメラ、電子ブック、携帯型ゲーム機、または各種端末機などのように、液晶表示装置（Ｌｉｑｕｉｄ  Ｃｒｙｓｔａｌ  Ｄｉｓｐｌａｙ；ＬＣＤ）や有機発光表示装置（Ｏｒｇａｎｉｃ  Ｌｉｇｈｔ  Ｅｍｉｔｔｉｎｇ  Ｄｉｏｄｅ；ＯＬＥＤ）が表示装置として適用された多様な電子機器が開発されている。
【０００３】
従来はこのような表示装置が長方形に形成されることが一般的であったが、最近は丸く曲がった曲面部を有する表示装置や、曲面部でも画像が表示される表示装置などに対する開発が行われている。
【先行技術文献】
【特許文献】
【０００４】
【特許文献１】韓国公開特許第１０−２０１８−００４１２４０号公報
【発明の概要】
【発明が解決しようとする課題】
【０００５】
本記載の実施形態は、表示装置のコーナーを丸く形成し、コーナーでも画像を表示することができ、画像を表示することができる丸いコーナーの製造を容易にし、丸いコーナーの形状を秀麗にするものである。
【課題を解決するための手段】
【０００６】
本発明の一実施形態による表示装置は、フロント表示領域、並びに前記フロント表示領域の周囲に位置する複数のサイド表示領域およびコーナー表示領域を含み、前記複数のサイド表示領域は前記フロント表示領域の第１側に位置する第１サイド表示領域と第２側に位置する第２サイド表示領域とを含み、前記コーナー表示領域は前記フロント表示領域のコーナーに位置し、前記第１サイド表示領域と前記第２サイド表示領域との間に位置して前記第１サイド表示領域および前記第２サイド表示領域と接続されており、前記フロント表示領域は平坦な表示面を有し、前記第１サイド表示領域、前記第２サイド表示領域、および前記コーナー表示領域はそれぞれ曲面を有し、前記コーナー表示領域の曲面の形態は前記第１サイド表示領域および前記第２サイド表示領域の曲面形態と異なり、前記コーナー表示領域は延伸および／または収縮が可能である。
【０００７】
前記第１サイド表示領域および前記第２サイド表示領域は、延伸および／または収縮可能であってもよい。
【０００８】
前記フロント表示領域は複数の第１表示単位を含み、前記第１サイド表示領域および前記第２サイド表示領域は複数の第２表示単位を含み、前記コーナー表示領域は複数の第３表示単位を含み、前記第１および第２サイド表示領域と前記コーナー表示領域が前記曲面を成す前の状態における前記第２表示単位のピッチおよび第３表示単位のピッチのうちの少なくとも一つのピッチは、前記第１表示単位のピッチより小さくてもよい。
【０００９】
前記第１サイド表示領域は第１エッジを含み、前記コーナー表示領域は前記第１エッジに接続された第２エッジを含み、前記第１サイド表示領域および前記第２サイド表示領域と前記コーナー表示領域とが前記曲面を成す前の状態で、前記第１サイド表示領域の前記第１エッジに垂直な方向である第１方向への前記第２表示単位のピッチが前記第１方向への前記第１表示単位のピッチより小さく、前記第２エッジに垂直な方向である第２方向への前記第３表示単位のピッチが前記第１方向への前記第１表示単位のピッチより小さくてもよい。
【００１０】
前記第１サイド表示領域および前記第２サイド表示領域と前記コーナー表示領域とが前記曲面を成す前の状態で、前記第１方向への前記第２表示単位のピッチは前記第１エッジに近づくほど次第に小さくなり、前記第２方向への前記第３表示単位のピッチは前記第２エッジに近づくほど次第に小さくなってもよい。
【００１１】
前記第１サイド表示領域および前記コーナー表示領域の曲率半径をｒとする場合、前記第１サイド表示領域および前記第２サイド表示領域と前記コーナー表示領域とが前記曲面を成す前の状態で、前記第１エッジから前記第１サイド表示領域と前記フロント表示領域との境界までの距離はｒであり、前記第２エッジの長さはπｒ／２であってもよい。
【００１２】
前記第１サイド表示領域は第１エッジを含み、前記コーナー表示領域は前記第１エッジに接続された第２エッジを含み、前記第１サイド表示領域および前記コーナー表示領域の曲率半径をｒとする場合、前記第１サイド表示領域の前記第１エッジから前記第１サイド表示領域と前記フロント表示領域との境界までの曲面上距離はπｒ／２であり、前記第２エッジの長さはπｒ／２であってもよい。
【００１３】
前記第１サイド表示領域および前記第２サイド表示領域は、前記コーナー表示領域より小さい延伸力および／または収縮力を有し、前記コーナー表示領域よりも前記フロント表示領域に近い延伸力および／または収縮力を有してもよい。
【００１４】
前記コーナー表示領域は、前記曲面を成す前の状態で第１エッジを有し、前記曲面を成した後の状態で第２エッジを有し、前記コーナー表示領域の曲率半径をｒとする場合、前記コーナー表示領域と前記フロント表示領域との境界から前記第１エッジまでの距離はｒであり、前記コーナー表示領域が曲面を成した状態で前記境界から前記第２エッジまでの曲面上距離はπｒ／２であり、前記第２エッジの長さはπｒ／２であってもよい。
【００１５】
前記コーナー表示領域は、前記曲面を成す前の状態で第１エッジを有し、前記曲面を成した後の状態で第２エッジを有し、前記コーナー表示領域の曲率半径をｒとする場合、前記コーナー表示領域と前記フロント表示領域との境界から前記第１エッジまでの距離はπｒ／２であり、前記コーナー表示領域が曲面を成した状態で前記境界から前記第２エッジまでの曲面上距離はπｒ／２であり、前記第２エッジの長さはπｒ／２であり、前記第１エッジの長さは（π／２）２ｒであってもよい。
【００１６】
前記コーナー表示領域が前記曲面を成す場合、前記コーナー表示領域の少なくとも一部が収縮してもよい。
【００１７】
前記第１サイド表示領域は第１エッジを含み、前記コーナー表示領域は前記曲面を成す前の展開された状態で前記第１サイド表示領域の前記第１エッジと接続された第２エッジおよび前記第２エッジに接続された第３エッジを含み、前記第２エッジおよび前記第３エッジはそれぞれ曲線を成し、前記第３エッジは前記コーナー表示領域が前記曲面を成す状態で前記第２サイド表示領域と接続されていてもよい。
【００１８】
前記コーナー表示領域の曲率半径をｒとする場合、前記第２エッジの長さはπｒ／２であってもよい。
【００１９】
前記第１サイド表示領域は第１エッジを含み、前記コーナー表示領域は前記曲面を成す前の展開された状態で、前記第１サイド表示領域の前記第１エッジと接続された第２エッジおよび前記第２エッジに接続された第３エッジを含み、前記第２エッジは曲線を成し、前記第３エッジは直線を成し、前記第３エッジは前記コーナー表示領域が前記曲面を成す状態で、延伸されて曲線を成して前記第２サイド表示領域と接続されていてもよい。
【００２０】
前記コーナー表示領域の曲率半径をｒとする場合、前記第２エッジの長さはπｒ／２であってもよい。
【００２１】
一実施形態による表示装置は、フロント表示領域、並びに前記フロント表示領域の周囲に位置する複数のサイド表示領域およびコーナー表示領域を含み、前記複数のサイド表示領域は前記フロント表示領域の第１側に位置する第１サイド表示領域と第２側に位置する第２サイド表示領域とを含み、前記コーナー表示領域は前記フロント表示領域のコーナーに位置し、前記第１サイド表示領域と前記第２サイド表示領域との間に位置して前記第１サイド表示領域および前記第２サイド表示領域と接続されており、前記フロント表示領域は平坦な表示面を有し、前記第１サイド表示領域、前記第２サイド表示領域、および前記コーナー表示領域は、それぞれ曲面を有し、前記コーナー表示領域の曲面の形態は前記第１サイド表示領域および前記第２サイド表示領域の曲面形態と異なり、前記第１サイド表示領域は第１エッジを含み、前記コーナー表示領域は前記曲面を成す前の展開された状態で前記第１サイド表示領域の前記第１エッジと接続された第２エッジおよび前記第２エッジに接続された第３エッジを含み、前記第２エッジおよび前記第３エッジはそれぞれ曲線を成し、前記第３エッジは前記コーナー表示領域が前記曲面を成す状態で前記第２サイド表示領域と接続されている。
【００２２】
前記第１サイド表示領域および前記コーナー表示領域の曲率半径をｒとする場合、前記第２エッジの長さはπｒ／２であり、前記第１サイド表示領域の前記第１エッジから前記フロント表示領域と前記第１サイド表示領域との間の境界までの距離はπｒ／２であってもよい。
【００２３】
前記第３エッジの長さは、πｒ／２であってもよい。
【００２４】
一実施形態による表示装置は第１表示領域、および前記第１表示領域の周囲に位置する第２表示領域を含み、前記第１表示領域は平坦な表示面を有し、前記第２表示領域は曲面を有し、前記第２表示領域は前記第１表示領域に比べて高い伸縮性を有し、延伸された状態で前記曲面を成していてもよい。
【００２５】
前記第１表示領域のコーナーは、丸い形態を有してもよい。
【発明の効果】
【００２６】
本記載による実施形態によれば、表示装置のコーナーを丸く形成し、コーナーでも画像を表示することができ、画像を表示することができる丸いコーナーの製造が容易にし、丸いコーナーの形状を秀麗にすることができる。
【図面の簡単な説明】
【００２７】
【図１】一実施形態による表示装置の概略的な斜視図である。
【図２】一実施形態による表示装置の丸いコーナーの形態を幾何学的表示手段で示した図である。
【図３】一実施形態による表示装置の概略的な断面図である。
【図４】一実施形態による表示装置の平面配置図である。
【図５】図４に示した表示装置の一部に対する拡大図である。
【図６】図４に示した表示装置の縁領域を曲げる前のコーナーに対する平面展開図である。
【図７】一実施形態による表示装置の縁領域を曲げる前の平面展開図であって、表示単位の配置を示す図である。
【図８】一実施形態による表示装置の縁領域を曲げる前の平面展開図であって、表示単位の配置を示す図である。
【図９】一実施形態による表示装置の平面配置図である。
【図１０】図９に示した表示装置で、曲面を形成する前と曲面を形成した後の形態を示す図である。
【図１１】一実施形態による表示装置で、曲面を形成する前の表示装置の一部に対する平面展開図である。
【図１２】一実施形態による表示装置で、曲面を形成する前の表示装置の一部に対する平面展開図である。
【図１３】一実施形態による表示装置で、曲面を形成する前の表示装置の一部に対する平面展開図である。
【図１４】一実施形態による表示装置の平面配置図である。
【図１５】一実施形態による表示装置の製造方法の一工程を示す側面図である。
【図１６】図１５に示した工程の次の工程を示す側面図である。
【図１７】一実施形態による表示装置の一表示領域の画素の配置図である。
【図１８】一実施形態による表示装置の一表示領域の画素の配置図である。
【図１９】一実施形態による表示装置の概略的な斜視図である。
【図２０】一実施形態による表示装置の概略的な斜視図である。
【図２１】一実施形態による表示装置の平面配置図である。
【図２２】一実施形態による表示装置の平面配置図である。
【図２３】一実施形態による表示装置の平面配置図である。
【発明を実施するための形態】
【００２８】
以下、添付の図面を参照して本発明の様々な実施形態について本発明の属する技術分野における通常の知識を有する者が容易に実施することができるように詳しく説明する。本発明は様々な形態に実現でき、ここで説明する実施形態に限定されない。
【００２９】
本発明を明確に説明するために説明上不必要な部分は省略し、明細書全体にわたって同一または類似の構成要素については同一な参照符号を付けるようにする。
【００３０】
図面に示された各構成の大きさおよび厚さは説明の便宜のために任意に示したので、本発明が必ずしも図示されたものに限定されるのではない。図面において様々な層および領域を明確に表現するために厚さを拡大して示した。そして、図面において、説明の便宜のために、一部の層および領域の厚さを誇張して示した。
【００３１】
層、膜、領域、板などの部分が他の部分「の上に」または「上に」あるという場合、これは他の部分の「直上」にある場合だけでなく、その中間にまた他の部分がある場合も含む。反対に、ある部分が他の部分の「直上」にあるという場合には中間に他の部分がないことを意味する。また、基準となる部分「の上に」または「上に」あるということは基準となる部分の上または下に位置することであり、必ずしも重力反対方向に「の上に」または「上に」位置すること意味するのではない。
【００３２】
明細書全体で、ある部分がある構成要素を「含む」という場合、これは特に反対になる記載がない限り他の構成要素を除くのではなく他の構成要素をさらに含むことができるのを意味する。
【００３３】
明細書全体で、平面視（ｉｎ  ａ  ｐｌａｎ  ｖｉｅｗ）は互いに交差する二方向（例えば、第１方向ＤＲ１および第２方向ＤＲ２）に平行な面を観察する視野を意味し（平面上と表現する）、断面視（ｉｎ  ａ  ｃｒｏｓｓ−ｓｅｃｔｉｏｎａｌ  ｖｉｅｗ）は第１方向ＤＲ１および第２方向ＤＲ２に平行な面に垂直な方向（例えば、第３方向ＤＲ３）に切断した面を観察する視野を意味する。また、二つの構成要素が重畳するという場合は他の言及がない限り二つの構成要素が第３方向ＤＲ３に（例えば、基板の上面に垂直な方向に）重畳することを意味する。
【００３４】
以下、図１〜図７を参照して一実施形態による表示装置について説明する。
【００３５】
図１を参照すれば、一実施形態による表示装置１０００は画像を表示することができる表示領域を含み、表示領域は表示面を含む。表示領域は、第３方向ＤＲ３に見た場合、前面に位置するフロント表示領域（ｆｒｏｎｔ  ｄｉｓｐｌａｙ  ａｒｅａ）ＤＡ１、フロント表示領域ＤＡ１の少なくとも二側にそれぞれ位置するサイド表示領域（ｓｉｄｅ  ｄｉｓｐｌａｙ  ａｒｅａ）ＤＡ２、およびフロント表示領域ＤＡ１のコーナーに位置するコーナー表示領域（ｃｏｒｎｅｒ  ｄｉｓｐｌａｙ  ａｒｅａ）ＤＡ３を含む。フロント表示領域ＤＡ１は表示装置の中央に位置し、サイド表示領域ＤＡ２とコーナー表示領域ＤＡ３は表示装置の縁領域に位置してフロント表示領域ＤＡ１の周囲に位置する。
【００３６】
フロント表示領域ＤＡ１は、表示領域全体で最も広い面積を占めることができ、実質的に平坦な表示面を有することができる。平面視で、フロント表示領域ＤＡ１の全体的な形状は四つの辺を有する長方形であり得るが、これに限定されない。フロント表示領域ＤＡ１の角は、図示したように尖ってもよいが、丸くてもよい。フロント表示領域ＤＡ１の四つの辺はそれぞれ第１方向ＤＲ１または第２方向ＤＲ２に平行に延長されていてもよい。
【００３７】
サイド表示領域ＤＡ２はフロント表示領域ＤＡ１の上下左右の四つの辺にそれぞれ接続されている四つの領域を含むことができるが、このうちの一部のみを含むこともできる。各サイド表示領域ＤＡ２の表示面は曲面を有し、曲面の位置によって曲率が一定であってもよく、異なってもよい。各サイド表示領域ＤＡ２は、おおよそ楕円柱または円柱のような曲面柱の側面の一部（例えば、当該曲面柱の側面の１／４の部分）と類似の形態を有してもよい。
【００３８】
コーナー表示領域ＤＡ３は表示装置の四つのコーナーまたは一部のコーナーにそれぞれ位置し、隣接した二つのサイド表示領域ＤＡ２の間に配置されてもよい。各コーナー表示領域ＤＡ３の表示面は曲面を有し、曲面の位置によって曲率が一定であってもよく、異なってもよい。コーナー表示領域ＤＡ３の曲面の形態はサイド表示領域ＤＡ２の曲面形態と異なってもよい。例えば、各コーナー表示領域ＤＡ３は、おおよそ球または楕円形球のような曲面体の一部（例えば、当該曲面体の１／８の部分）と類似の形態を有してもよい。
【００３９】
図２を参照すれば、コーナー表示領域ＤＡ３の表示面上（曲面上とも言える）の位置は図示された原点Ｏを基準にした曲率半径ｒ、第３方向ＤＲ３と成す角（θ）（極角という、単位はラジアン（ｒａｄｉａｎ）である）、および第１方向ＤＲ１と第２方向ＤＲ２が成す平面であるｘｙ平面への射影が第１方向ＤＲ１と成す角（φ）（方位角という、単位はラジアン（ｒａｄｉａｎ）である）で示す極座標系で示すことができる。ここで、曲率半径ｒは一定であってもよく、コーナー表示領域ＤＡ３の曲面または表示面上の位置によって変ってもよい。
【００４０】
図３を参照すれば、一実施形態による表示装置１０００は、断面視で順次に積層された表示パネル１０、偏光層２０、粘着層（または接着層）３０、およびカバーウィンドウ４０などを含むことができる。
【００４１】
表示パネル１０は、画像を表示することができる単位である複数の画素と複数の信号線などの電気素子を含むことができ、フレキシブル基板を含むことができる。各画素は少なくとも一つのトランジスタを含むことができる。
【００４２】
表示パネル１０は、外部のタッチを感知することができるタッチセンサ層をさらに含むことができる。タッチセンサ層は、複数のタッチ電極を含むことができる。これとは異なり、表示パネル１０と偏光層２０の間に別途のタッチセンサ層が配置されてもよい。
【００４３】
偏光層２０はフレキシブルフィルム形態であってもよく、表示パネル１０が含む様々な電極または配線で反射される外部光が視認されることを防止することができる。偏光層２０は円偏光板であってもよく、この場合、偏光層２０は線形偏光子と四分の一波長板を含むことができる。
【００４４】
カバーウィンドウ４０は、透明なプラスチックまたはガラスなどの絶縁物質からなり得る。カバーウィンドウ４０は、ＯＣＡ、ＯＣＲ、ＰＳＡなどの粘着層３０を介して偏光層２０に付着されていてもよい。
【００４５】
一実施形態による表示装置１０００は、フロント表示領域ＤＡ１でおおよそ平らであり、サイド表示領域ＤＡ２とコーナー表示領域ＤＡ３では曲率で曲がった曲面を成している。曲がった領域の曲率、即ち、曲率半径ｒは位置によって一定であってもよく、位置によって変ってもよい。このように、曲がっている表示領域を曲面表示領域（ｃｕｒｖｅｄ  ｄｉｓｐｌａｙ  ａｒｅａ）ＤＡｒという。曲面表示領域ＤＡｒは、サイド表示領域ＤＡ２とコーナー表示領域ＤＡ３とを含む。これにより、表示パネル１０は曲がっている縁領域１０ｒを含み、偏光層２０は曲がっている縁領域２０ｒを含み、カバーウィンドウ４０は曲がっている縁領域４０ｒを含むことができる。
【００４６】
図４および図５を参照すれば、一実施形態による表示装置１０００ａは前述の表示装置１０００と略同一である。正面から見た場合、表示装置１０００ａはフロント表示領域ＤＡ１、フロント表示領域ＤＡ１の少なくとも二側に位置するサイド表示領域ＤＡ２、およびコーナー表示領域ＤＡ３を含む。サイド表示領域ＤＡ２とコーナー表示領域ＤＡ３は前述のように曲率を有して曲がった曲面を成す。
【００４７】
コーナー表示領域ＤＡ３は、全体的に延伸および／または収縮が可能である。即ち、コーナー表示領域ＤＡ３は、外力によってその面積が増えてもよく、減ってもよい。サイド表示領域ＤＡ２は全体的にコーナー表示領域ＤＡ３と同じ程度に延伸および／または収縮が可能であってもよく、コーナー表示領域ＤＡ３より低い延伸力および／または収縮力を有してもよい。フロント表示領域ＤＡ１はコーナー表示領域ＤＡ３またはサイド表示領域ＤＡ２と同じ程度の延伸力および／または収縮力を有してもよく、これより低い延伸力および／または収縮力を有してもよい。一例として、フロント表示領域ＤＡ１は固定形態を有するか曲げられるフレキシブル性質を有することはできるが、面積が増えるまたは減るような延伸力および／または収縮力は実質的に有していなくてもよい。
【００４８】
フロント表示領域ＤＡ１、サイド表示領域ＤＡ２およびコーナー表示領域ＤＡ３は複数の表示単位ＵＴを含む。各表示単位ＵＴは赤色、緑色、青色などの基本色のうちの一つを示すことができる画素であってもよく、複数の画素を含む単位グループであってもよい。一つの単位グループは互いに異なる基本色を示す複数の画素、例えば赤色画素、緑色画素、および青色画素を含むことができる。表示単位ＵＴは、少なくとも一方向に反復的に配置されていてもよい。図４は、複数の表示単位ＵＴが第１方向ＤＲ１および第２方向ＤＲ２に配列されている例を示す。
【００４９】
図４に示していないが、フロント表示領域ＤＡ１だけでなくサイド表示領域ＤＡ２とコーナー表示領域ＤＡ３にも複数の表示単位ＵＴが配置され得る。フロント表示領域ＤＡ１で複数の表示単位ＵＴの配列形態は、サイド表示領域ＤＡ２またはコーナー表示領域ＤＡ３での複数の表示単位ＵＴの配列形態と同一であってもよく異なってもよい。また、コーナー表示領域ＤＡ３での複数の表示単位ＵＴの配列形態はサイド表示領域ＤＡ２またはフロント表示領域ＤＡ１での複数の表示単位ＵＴの配列形態と異なってもよい。
【００５０】
平面視で、表示装置１０００ａの縁の辺であるエッジは、サイド表示領域ＤＡ２の縁の辺であるエッジＥＤ１、ＥＤ２とコーナー表示領域ＤＡ３の縁の辺であるエッジＥＤ３を含むことができる。
【００５１】
サイド表示領域ＤＡ２のエッジＥＤ１、ＥＤ２のそれぞれは、第１方向ＤＲ１または第２方向ＤＲ２に延長された実質的に直線形態であってもよく、コーナー表示領域ＤＡ３のエッジＥＤ３は実質的に曲線であってもよい。コーナー表示領域ＤＡ３のエッジＥＤ３は、曲率半径が一定であるか、曲率半径が変わる円の一部である弧の形態であってもよい。エッジＥＤ３の両端はそれぞれ二つのサイド表示領域ＤＡ２のエッジＥＤ１、ＥＤ２と接続されていてもよい。
【００５２】
サイド表示領域ＤＡ２とフロント表示領域ＤＡ１との間の境界も実質的に直線であってもよく、コーナー表示領域ＤＡ３はフロント表示領域ＤＡ１のコーナーに接続されていてもよい。
【００５３】
フロント表示領域ＤＡ１とサイド表示領域ＤＡ２との境界で、フロント表示領域ＤＡ１とサイド表示領域ＤＡ２とは物理的に連続的な一つの基板、およびその上の積層された層を含むこともでき、互いに別個の基板および積層された層を含むこともできる。同様に、コーナー表示領域ＤＡ３とサイド表示領域ＤＡ２および／またはフロント表示領域ＤＡ１との間の境界で、コーナー表示領域ＤＡ３はサイド表示領域ＤＡ２および／またはフロント表示領域ＤＡ１と物理的に連続的な一つの基板および積層された層を含むこともでき、互いに別個の基板および積層された層を含むこともできる。
【００５４】
コーナー表示領域ＤＡ３とサイド表示領域ＤＡ２が物理的に連続的な一つの基板を含む場合、エッジＥＤ３はエッジＥＤ１、ＥＤ２と物理的に連続的に接続された状態であり得る。フロント表示領域ＤＡ１とサイド表示領域ＤＡ２とが互いに別個の基板および積層された層を含む場合、両基板および積層された層は互いに接合された状態であってもよく、コーナー表示領域ＤＡ３とサイド表示領域ＤＡ２とが互いに別個の基板および積層された層を含む場合、両基板および積層された層は互いに接合された状態であってもよい。
【００５５】
図２および図５を参照すれば、サイド表示領域ＤＡ２とコーナー表示領域ＤＡ３の曲率半径をｒと表す場合（以後も同様である）、コーナー表示領域ＤＡ３のエッジＥＤ３の長さは概略πｒ／２であり得る。サイド表示領域ＤＡ２の曲面または表示面上で、エッジＥＤ１、ＥＤ２からフロント表示領域ＤＡ１とサイド表示領域ＤＡ２との境界（以後では、単にフロント表示領域ＤＡ１の境界という）までの曲面上距離は概略πｒ／２であり得る。
【００５６】
図６は、前述の表示装置１０００ａのサイド表示領域ＤＡ２とコーナー表示領域ＤＡ３とを曲面に曲げる前の表示装置１００ａの一つのコーナーＡＡに関する図であって、２次元平面上での展開図を示す。即ち、図６で示されたサイド表示領域ＤＡ２とコーナー表示領域ＤＡ３は曲面になる前の平面状態であり、展開された状態ということができる。以後でも展開された状態という場合、表示装置の縁領域が曲面に曲がる前の状態または曲面を展開して収縮した状態（展開した状態）を意味する。
【００５７】
表示装置の縁領域であるサイド表示領域ＤＡ２とコーナー表示領域ＤＡ３が曲がった状態の図５と比較して図６を参照すれば、サイド表示領域ＤＡ２とコーナー表示領域ＤＡ３が展開された状態で、コーナー表示領域ＤＡ３のエッジＥＧ３の長さは概略πｒ／２であり、サイド表示領域ＤＡ２のエッジＥＧ１、ＥＧ２からフロント表示領域ＤＡ１とサイド表示領域ＤＡ２との境界までの平面上距離は概略ｒであり得る。
【００５８】
ここで、ＥＤ１、ＥＤ２、およびＥＤ３は表示装置の縁領域であるサイド表示領域ＤＡ２とコーナー表示領域ＤＡ３とが曲がって曲面になった状態におけるサイド表示領域ＤＡ２とコーナー表示領域ＤＡ３とのエッジを示し、ＥＧ１、ＥＧ２、およびＥＧ３はサイド表示領域ＤＡ２とコーナー表示領域ＤＡ３とが曲がる前の展開された状態におけるサイド表示領域ＤＡ２とコーナー表示領域ＤＡ３とのエッジを示す。
【００５９】
展開された状態のコーナー表示領域ＤＡ３のエッジＥＧ３の長さと、曲面であるコーナー表示領域ＤＡ３のエッジＥＤ３の長さとは、全て概略πｒ／２であり得る。展開された状態のコーナー表示領域ＤＡ３のエッジＥＧ３とフロント表示領域ＤＡ１との境界までの距離は曲率半径ｒと同一であるが、曲がって曲面になった後のコーナー表示領域ＤＡ３のエッジＥＤ３とフロント表示領域ＤＡ１の境界までの曲面上距離は前述のようにπｒ／２であり得る。同様に、展開された状態のサイド表示領域ＤＡ２のエッジＥＧ１、ＥＧ２とフロント表示領域ＤＡ１の境界までの距離は曲率半径ｒと同一であるが、曲がって曲面になったサイド表示領域ＤＡ２のエッジＥＤ１、ＥＤ２とフロント表示領域ＤＡ１の境界までの曲面上距離は前述のようにπｒ／２であり得る。
【００６０】
これにより、図６で外側に向かう矢印で表すように表示装置の縁領域が曲がる過程で、サイド表示領域ＤＡ２とコーナー表示領域ＤＡ３とはフロント表示領域ＤＡ１から外側方向に伸び（ｓｔｒｅｔｃｈ）なければならない。例えば、フロント表示領域ＤＡ１を基準として左側に位置するサイド表示領域ＤＡ２は左側に伸び、上側に位置するサイド表示領域ＤＡ２は上側に伸び、コーナー表示領域ＤＡ３は放射状の半径方向に外側に伸びる。このような過程を通じて、サイド表示領域ＤＡ２とコーナー表示領域ＤＡ３とで各エッジＥＧ１、ＥＧ２、ＥＧ３からフロント表示領域ＤＡ１の境界までの曲面上距離（最短距離を意味する）は、図６に示したようにｒから始まって、曲がって曲面になった状態では図５のようにπｒ／２まで伸びて、曲面である表示面を有するサイド表示領域ＤＡ２とコーナー表示領域ＤＡ３とが形成され得る。即ち、サイド表示領域ＤＡ２とコーナー表示領域ＤＡ３とは表示装置の縁領域が曲がる過程でその面積が増える。
【００６１】
これにより、サイド表示領域ＤＡ２とコーナー表示領域ＤＡ３とが展開された状態で表示単位ＵＴの間の距離および／または表示単位ＵＴ自体の面積は、サイド表示領域ＤＡ２とコーナー表示領域ＤＡ３が曲面を成した状態でのものと異なってもよい。
【００６２】
図６および図７を参照すれば、サイド表示領域ＤＡ２が展開された状態で、フロント表示領域ＤＡ１と第１方向ＤＲ１に隣接したサイド表示領域ＤＡ２における表示単位ＵＴの第１方向ＤＲ１のピッチＷｂ１（隣接した表示単位ＵＴの配列ピッチを意味する）は、フロント表示領域ＤＡ１における表示単位ＵＴの第１方向ＤＲ１のピッチＷａ１より小さくてもよい。サイド表示領域ＤＡ２でピッチＷｂ１は一定であってもよい。例えば、ピッチＷｂ１はピッチＷａ１の概略１／（π／２）、即ち、２／πであり得る。一方、フロント表示領域ＤＡ１と第１方向ＤＲ１に隣接したサイド表示領域ＤＡ２における表示単位ＵＴの第２方向ＤＲ２のピッチＷｂ２は、フロント表示領域ＤＡ１における表示単位ＵＴの第２方向ＤＲ２のピッチＷａ２と同一であってもよい。サイド表示領域ＤＡ２において隣接した表示単位ＵＴの間の距離（第１方向ＤＲ１）は、フロント表示領域ＤＡ１において隣接した表示単位ＵＴの間の距離（第１方向ＤＲ１）より小さくてもよい。
【００６３】
同様に、サイド表示領域ＤＡ２が展開された状態で、フロント表示領域ＤＡ１と第２方向ＤＲ２に隣接したサイド表示領域ＤＡ２における表示単位ＵＴの第２方向ＤＲ２のピッチＷｃ２は、フロント表示領域ＤＡ１における表示単位ＵＴの第２方向ＤＲ２のピッチＷａ２より小さくてもよい。サイド表示領域ＤＡ２でピッチＷｃ２は一定であってもよい。例えば、ピッチＷｃ２はピッチＷａ２の概略１／（π／２）、即ち、２／πであり得る。一方、フロント表示領域ＤＡ１と第２方向ＤＲ２に隣接したサイド表示領域ＤＡ２における表示単位ＵＴの第１方向ＤＲ１のピッチＷｃ１は、フロント表示領域ＤＡ１における表示単位ＵＴの第１方向ＤＲ１のピッチＷａ１と同一であってもよい。サイド表示領域ＤＡ２において隣接した表示単位ＵＴの間の距離（第２方向ＤＲ２）は、フロント表示領域ＤＡ１において隣接した表示単位ＵＴの間の距離（第２方向ＤＲ２）より小さくてもよい。
【００６４】
コーナー表示領域ＤＡ３において、表示単位ＵＴは放射状に配置された複数の列（ｒｏｗ）Ｕｒを成して配置されていてもよい。各列Ｕｒは半径方向、即ち、フロント表示領域ＤＡ１の角でコーナー表示領域ＤＡ３のエッジに向かう方向に長く形成された列であり得る。図７に示したものとは異なり、隣接した列Ｕｒの間にも表示単位ＵＴがさらに配置されてもよい。
【００６５】
コーナー表示領域ＤＡ３が曲面を成す前の展開された状態で、コーナー表示領域ＤＡ３における表示単位ＵＴの半径方向のピッチＷｒは、フロント表示領域ＤＡ１における表示単位ＵＴのピッチＷａ１またはピッチＷａ２より小さくてもよい。ピッチＷｒはフロント表示領域ＤＡ１と第１方向ＤＲ１に隣接したサイド表示領域ＤＡ２に位置する表示単位ＵＴの第１方向ＤＲ１のピッチＷｂ１、またはフロント表示領域ＤＡ１と第２方向ＤＲ２に隣接したサイド表示領域ＤＡ２に位置する表示単位ＵＴの第２方向ＤＲ２のピッチＷｃ２と同一であってもよい。コーナー表示領域ＤＡ３においてピッチＷｒは一定であってもよい。例えば、ピッチＷｒはピッチＷａ１またはピッチＷａ２の概略１／（π／２）、即ち、２／πであり得る。一方、コーナー表示領域ＤＡ３において隣接した表示単位ＵＴの間の距離（半径方向）は、フロント表示領域ＤＡ１において隣接した表示単位ＵＴの間の距離（第１方向ＤＲ１または第２方向ＤＲ２）より小さくてもよい。
【００６６】
しかし、図１〜図５に示したように、サイド表示領域ＤＡ２とコーナー表示領域ＤＡ３が延伸されて曲面を成す状態では、サイド表示領域ＤＡ２における表示単位ＵＴの曲面または表示面上のピッチは、フロント表示領域ＤＡ１における表示単位ＵＴの曲面または表示面上のピッチとほとんど同一であってもよい。即ち、サイド表示領域ＤＡ２とコーナー表示領域ＤＡ３とが延伸されて曲面を成す前には、サイド表示領域ＤＡ２とコーナー表示領域ＤＡ３との表示単位ＵＴの解像度（ｒｅｓｏｌｕｔｉｏｎ）がフロント表示領域ＤＡ１の表示単位ＵＴの解像度より大きくてもよく、サイド表示領域ＤＡ２とコーナー表示領域ＤＡ３とが延伸されて曲面を成した後には、サイド表示領域ＤＡ１とコーナー表示領域ＤＡ３との表示単位ＵＴの曲面または表示面上の解像度は、フロント表示領域ＤＡ１の表示単位ＵＴの解像度とほとんど同じであってもよい。
【００６７】
以下、前述の図面と共に図８を参照して一実施形態による表示装置について説明する。
【００６８】
図８に示した表示装置１００ｂは表示装置の縁領域が曲面を成す前の展開された状態の表示装置であって、図７に示した表示装置１００ａとおおよそ同一であるが、サイド表示領域ＤＡ２および／またはコーナー表示領域ＤＡ３で表示単位ＵＴのピッチが位置によって変ってもよい。フロント表示領域ＤＡ１の境界からサイド表示領域ＤＡ２またはコーナー表示領域ＤＡ３のエッジに向かう最短距離の方向を外郭方向（ｏｕｔｅｒ  ｄｉｒｅｃｔｉｏｎ）Ｄｒｔという場合、サイド表示領域ＤＡ２および／またはコーナー表示領域ＤＡ３で表示単位ＵＴのピッチは外郭方向Ｄｒｔに沿って次第に小さくなってもよい。
【００６９】
フロント表示領域ＤＡ１と第１方向ＤＲ１に隣接したサイド表示領域ＤＡ２における表示単位ＵＴの第１方向ＤＲ１のピッチＷｂは、フロント表示領域ＤＡ１における表示単位ＵＴの第１方向ＤＲ１のピッチＷａ１より小さくてもよく、外郭方向Ｄｒｔに行くほど次第に小さくなってもよい。フロント表示領域ＤＡ１と第２方向ＤＲ２に隣接したサイド表示領域ＤＡ２における表示単位ＵＴの第２方向ＤＲ２のピッチＷｃは、フロント表示領域ＤＡ１における表示単位ＵＴの第２方向ＤＲ２のピッチＷａ２より小さくてもよく、外郭方向Ｄｒｔに行くほど次第に小さくなってもよい。同様に、コーナー表示領域ＤＡ３における表示単位ＵＴの外郭方向Ｄｒｔまたは半径方向のピッチＷｒは、フロント表示領域ＤＡ１における表示単位ＵＴの第１方向ＤＲ１のピッチＷａ１および／または表示単位ＵＴの第２方向ＤＲ２のピッチＷａ２より小さく、外郭方向Ｄｒｔに行くほど次第に小さくなってもよい。
【００７０】
表示単位ＵＴの面積が実質的に一定であるとき、サイド表示領域ＤＡ２および／またはコーナー表示領域ＤＡ３で隣接した表示単位ＵＴの間の距離は外郭方向Ｄｒｔに沿って次第に小さくなってもよい。
【００７１】
図２および図８を参照すれば、サイド表示領域ＤＡ２およびコーナー表示領域ＤＡ３が曲がりながら延伸されて曲面を成す場合、各地点の極角（θ）は０からπ／２までであり、展開された状態での表示単位ＵＴの外郭方向ＤｒｔのピッチＷｂ、Ｗｃ、Ｗｒは曲がった後に対応する極角（θ）によって変ってもよい。例えば、展開された状態でサイド表示領域ＤＡ２およびコーナー表示領域ＤＡ３の表示単位ＵＴの外郭方向ＤｒｔのピッチＷｂ、Ｗｃ、Ｗｒは、対応する極角（θ）の関数として、外郭方向Ｄｒｔの反対方向に行けば行くほどｌｎ（１／ｃｏｓθ）の比率で変化してもよい。例えば、極角（θ）がπ／６である地点でのピッチＷｂ、Ｗｃ、Ｗｒと極角（θ）がπ／３である地点でのピッチＷｂ、Ｗｃ、Ｗｒとの比は、この順に概略ｌｎ（１／ｃｏｓ（π／３））：ｌｎ（１／ｃｏｓ（π／６））であり得る。
【００７２】
比率（ｌｎ（１／ｃｏｓθ）は、前述の図２に示した図で原点Ｏを基準にした展開図上距離（ｒθ）が延長された曲面上の距離（ｒｓｉｎθ）の延伸変形率（ε）に対する下記のような数式１から導出され得る。
【００７３】
［数式１］
ε＝ｌｎ（ｄｙ／ｄｘ）＝ｌｎ（１／ｃｏｓθ）、ｘ＝ｒθ、ｙ＝ｒｓｉｎθ（ｌｎは自然対数を示す。）
【００７４】
以下、図９を参照して一実施形態による表示装置について説明する。
【００７５】
図９を参照すれば、一実施形態による表示装置１０００ｂは前述の実施形態の表示装置１０００ａとおおよそ同一であるが、表示領域はフロント表示領域ＤＡ４、サイド表示領域ＤＡ５、およびコーナー表示領域ＤＡ６を含む。表示領域ＤＡ４、ＤＡ５、ＤＡ６はそれぞれ前述の表示領域ＤＡ１、ＤＡ２、ＤＡ３の形態および配置と同一であってもよい。
【００７６】
前述の実施形態のようにコーナー表示領域ＤＡ６は延伸および／または収縮が可能であるが、サイド表示領域ＤＡ５はコーナー表示領域ＤＡ６より低い延伸力および／または収縮力を有し、フロント表示領域ＤＡ４と同じ程度の延伸力および／または収縮力を有してもよい。例えば、フロント表示領域ＤＡ４とサイド表示領域ＤＡ５は固定形態を有するか曲げられるフレキシブル性質を有することはできるが、面積が増えるまたは減るような延伸力および／または収縮力はほとんど有していなくてもよい。
【００７７】
図示していないが、サイド表示領域ＤＡ５に位置する表示単位ＵＴのピッチは、フロント表示領域ＤＡ４に位置する表示単位ＵＴのピッチと同一であるか類似であってもよい。しかし、表示装置の縁領域が曲面に形成される場合、少なくとも一部領域が延伸されるコーナー表示領域ＤＡ６に位置する表示単位ＵＴのピッチは、コーナー表示領域ＤＡ６の延伸前にはフロント表示領域ＤＡ４の表示単位ＵＴのピッチより小さくてもよく、位置によっても変化してもよい。その変化比率は、前述の図８に示した実施形態と同じであってもよい。
【００７８】
図９に示した実施形態による表示装置１０００ｂの縁領域が曲面になる前の表示装置はコーナー表示領域ＤＡ６によって図１０、図１１、図１２および図１３に示した多様な実施形態と同じであってもよい。
【００７９】
まず、図１０を参照すれば、表示装置１０００ｂはサイド表示領域ＤＡ５の縁の辺であるエッジＥＤ４、ＥＤ５とコーナー表示領域ＤＡ６の縁の辺であるエッジＥＤ３ａを含むことができる。エッジＥＤ３ａは前述の実施形態による表示装置１０００ａのエッジＥＤ３と同じであってもよく、エッジＥＤ４、ＥＤ５は前述のエッジＥＤ１、ＥＤ２と同じであってもよい。
【００８０】
曲面を成す前のコーナー表示領域はＤＡ６ａで表わす。
【００８１】
フロント表示領域ＤＡ４とサイド表示領域ＤＡ５は互いに物理的に連続的な一つの基板および積層された層を含むことができ、コーナー表示領域ＤＡ６、ＤＡ６ａはフロント表示領域ＤＡ４およびサイド表示領域ＤＡ５と物理的に別個の基板および積層された層を含み、フロント表示領域ＤＡ４およびサイド表示領域ＤＡ５の基板および積層された層に接合された状態であり得る。
【００８２】
サイド表示領域ＤＡ５とコーナー表示領域ＤＡ６、ＤＡ６ａの境界の大部分で、コーナー表示領域ＤＡ６、ＤＡ６ａはサイド表示領域ＤＡ５と分離されており、互いに接合された基板および積層された層を含みながらコーナー表示領域ＤＡ６、ＤＡ６ａとフロント表示領域ＤＡ４の境界である接続点ＣＰでコーナー表示領域ＤＡ６、ＤＡ６ａはフロント表示領域ＤＡ４と物理的に連続的に接続された基板および積層された層を含むこともできる。即ち、コーナー表示領域ＤＡ６、ＤＡ６ａはフロント表示領域ＤＡ４およびサイド表示領域ＤＡ５のような基板および積層された層を含むが、サイド表示領域ＤＡ５との境界ではコーナー表示領域ＤＡ６、ＤＡ６ａとサイド表示領域ＤＡ５とが互いに分離されており、フロント表示領域ＤＡ４とは接続点ＣＰを通じて連続的な基板および積層された層で互いに接続されていてもよい。接続点ＣＰは、点でない一定の面積を有する領域であり得る。
【００８３】
エッジＥＤ３ａは、エッジＥＤ４、ＥＤ５に接続されているが、接合された状態であり得る。接続点ＣＰにはコーナー表示領域ＤＡ６、ＤＡ６ａに信号を供給することができる配線が通過できる。
【００８４】
表示装置１０００ｂの縁領域が延伸されて曲面になる前の一例による表示装置のコーナー表示領域ＤＡ６ａは、延伸される前の状態でのエッジＥＧ３ａの長さがπｒ／２であり、サイド表示領域ＤＡ５との境界を成すコーナー表示領域ＤＡ６ａの辺の長さが概略曲率半径ｒと同じであり得る。
【００８５】
サイド表示領域ＤＡ５は実質的に延伸されずに曲面を成すので、曲がる前にもフロント表示領域ＤＡ４の境界からサイド表示領域ＤＡ５のエッジＥＤ５までの距離は概略πｒ／２であり、この長さのままで屈曲されて曲面を成すことができる。これに反し、コーナー表示領域ＤＡ６ａの接続点ＣＰからの半径方向の長さはｒから始まって図１０に示した矢印方向に延長されて曲面状態では概略πｒ／２になる。このように延伸されたコーナー表示領域ＤＡ６は曲面を成した状態でサイド表示領域ＤＡ５と接合されて固定され得る。
【００８６】
次いで、図１１を参照すれば、一実施形態による表示装置１００ｃは図９に示したような表示装置１０００ｂと同じ形態の曲面を有するように縁領域が曲がってもよい。展開された状態の表示装置１００ｃは図１０に示した表示装置１０００ｂの展開された状態とおおよそ同一であるが、コーナー表示領域ＤＡ６ｂが異なってもよい。
【００８７】
コーナー表示領域ＤＡ６ｂは展開された状態でもサイド表示領域ＤＡ５と連続的に接続されており、コーナー表示領域ＤＡ６ｂのエッジＥＧ３ｂはサイド表示領域ＤＡ５のエッジＥＧ４、ＥＧ５と連続的に接続されている。コーナー表示領域ＤＡ６ｂの基板および積層された層は、サイド表示領域ＤＡ５およびフロント表示領域ＤＡ４の基板および積層された層と連続して接続されていてもよい。表示装置１００ｃのサイド表示領域ＤＡ５が曲面に曲がる場合、サイド表示領域ＤＡ５は実質的に延伸されず、フロント表示領域ＤＡ４の境界からサイド表示領域ＤＡ５のエッジＥＧ４、ＥＧ５までの距離は概略πｒ／２を維持したまま、曲がって曲面になった場合にも概略πｒ／２の距離を有することができる。
【００８８】
曲面を成す前の状態（展開された状態）でコーナー表示領域ＤＡ６ｂのエッジＥＧ３ｂの長さは（π／２）２ｒであり、コーナー表示領域ＤＡ６ｂが曲がって曲面を成した状態では図２または図１０に示したようにπｒ／２の長さを有する。即ち、コーナー表示領域ＤＡ６ｂが展開された状態から始まって曲がって曲面を成す場合、エッジＥＧ３ｂの長さは（π／２）２ｒからπｒ／２に減ってもよい。これにより、コーナー表示領域ＤＡ６ｂの全体領域のうちの一部は収縮し一部は延伸されて、図１１に示した２次元上の平面形態から図２に示したような曲面状態に曲げられ得る。
【００８９】
次いで、図１２を参照すれば、一実施形態による表示装置１００ｄは図９に示したような表示装置１０００ｂと同じ形態の曲面を有するように縁領域が曲げられ得る。縁領域が曲面を成す前の展開された状態の表示装置１００ｄは図１０に示した表示装置１００ｃとおおよそ同一であるが、コーナー表示領域ＤＡ６ｃが異なってもよい。
【００９０】
前述の表示装置と異なり、コーナー表示領域ＤＡ６ｃは延伸される必要がなく、したがって延伸可能な領域でなくてもよい。即ち、コーナー表示領域ＤＡ６ｃはサイド表示領域ＤＡ５およびフロント表示領域ＤＡ４と同一に延伸が可能でなくてもよい。しかし、コーナー表示領域ＤＡ６ｃは延伸可能であってもよい。
【００９１】
コーナー表示領域ＤＡ６ｃは展開された状態で隣接の二つのサイド表示領域ＤＡ５のうちの一つと物理的に連続的に接続されているか接合されて境界ＢＤ３を成すことができる。したがって、コーナー表示領域ＤＡ６ｃのエッジＥＧ７はコーナー表示領域ＤＡ６ｃが接続されたサイド表示領域ＤＡ５のエッジＥＧ５と連続的に接続されている。コーナー表示領域ＤＡ６ｃのエッジＥＧ７の長さは概略πｒ／２であり得る。
【００９２】
コーナー表示領域ＤＡ６ｃは接続されていないサイド表示領域ＤＡ５の境界ＢＤ４と対向するエッジＥＧ６をさらに含む。エッジＥＧ６はエッジＥＧ７と接続されており、展開された状態でサイド表示領域ＤＡ５と分離されている。エッジＥＧ６は直線でなく緩やかな曲線を成すことができる。接続点ＣＰからエッジＥＧ７とエッジＥＧ６の交点まで仮想の直線を引いた場合、その仮想の直線からエッジＥＧ６までの増加された距離ｄＬ（仮想の直線に垂直な方向の最短距離を意味する）はエッジＥＧ６の位置によって異なってもよく、例えば前述の図２を参照して次の数式２によって決定され得る。
【００９３】
［数式２］
ｄＬ／ｒ＝θ−（π／２）ｓｉｎθ
【００９４】
数式２によって、エッジＥＧ６と仮想の直線までの距離はエッジＥＧ６の中間部分で最も大きいものであり得る。
【００９５】
コーナー表示領域ＤＡ６ｃのエッジＥＧ６の長さは概略πｒ／２であり得る。コーナー表示領域ＤＡ６ｃのエッジＥＧ６は収縮や延伸なく３次元上で曲面を成しながら曲がってサイド表示領域ＤＡ５の境界ＢＤ４と接し、エッジＥＧ６と境界ＢＤ４は互いに接合され得る。このように曲面が形成された表示装置の形態は、前述の図９および図１０に示した表示装置１０００ｂと同じ形態を有してもよい。
【００９６】
次いで、図１３を参照すれば、一実施形態による表示装置１００ｅは、図９に示したような表示装置１０００ｂと同じ形態の曲面を有するように縁領域が曲がっていてもよい。縁領域が曲面を成す前の展開された状態の表示装置１００ｅは、図１２に示した表示装置１００ｄとおおよそ同一であるが、コーナー表示領域ＤＡ６ｄが異なってもよい。コーナー表示領域ＤＡ６ｄは延伸可能であって、コーナー表示領域ＤＡ６ｄが曲面を成す場合に面積が増加できる。
【００９７】
コーナー表示領域ＤＡ６ｄは展開された状態で隣接の二つのサイド表示領域ＤＡ５のうちの一つと物理的に連続的に接続されているか接合されて境界ＢＤ３を成すことができる。したがって、コーナー表示領域ＤＡ６ｄのエッジＥＧ８はコーナー表示領域ＤＡ６ｄが接続されたサイド表示領域ＤＡ５のエッジＥＧ５と連続的に接続されている。コーナー表示領域ＤＡ６ｄのエッジＥＧ８の長さは概略πｒ／２であり得る。
【００９８】
コーナー表示領域ＤＡ６ｄは接続されていないサイド表示領域ＤＡ５の境界ＢＤ４と対向するエッジＥＧ９をさらに含む。エッジＥＧ９はエッジＥＧ８と接続されており、展開された状態でサイド表示領域ＤＡ５と分離されている。エッジＥＧ９は前述のエッジＥＧ６とは異なり、接続点ＣＰからエッジＥＧ８の端まで接続した直線であり得る。
【００９９】
コーナー表示領域ＤＡ６ｄが曲面を成すように延伸される場合、エッジＥＧ９は伸びて３次元上で新たなエッジＥＤ９を成すことができる。エッジＥＤ９は曲線であり得る。延伸される前のエッジＥＧ９から曲線のエッジＥＤ９までの増加された距離ｄＬａ（エッジＥＧ９に垂直な方向の最短距離を意味する）は位置によって異なってもよく、例えば前述の図２を参照して前記の数式２によって決定され得る。即ち、距離ｄＬａは前述の実施形態の距離ｄＬと同様な方式で決定され得る。
【０１００】
コーナー表示領域ＤＡ６ｄが曲面を成した状態での新たなエッジＥＤ９の長さは概略πｒ／２であり得る。エッジＥＤ９はサイド表示領域ＤＡ５の境界ＢＤ４と接し、エッジＥＤ９と境界ＢＤ４は互いに接合され得る。このように曲面が形成された表示装置の形態は前述の図９および図１０に示した表示装置１０００ｂと同じ形態を有してもよい。
【０１０１】
このように本発明の様々な実施形態による表示装置１０００ａ、１０００ｂのコーナーも丸く形成して画像を表示できるコーナー表示領域ＤＡ３、ＤＡ６を有する表示装置が提供され、丸いコーナー表示領域ＤＡ３、ＤＡ６の形状を秀麗にすることができる。
【０１０２】
次いで、図１４を参照して一実施形態による表示装置１０００ｃについて説明する。
【０１０３】
一実施形態による表示装置１０００ｃは前述の様々な実施形態による表示装置（曲面を成す状態または曲面を成す前の状態の全ての表示装置）と同一であってもよいが、前述のフロント表示領域ＤＡ１、ＤＡ４に対応するフロント表示領域ＤＡ９と、前述のサイド表示領域ＤＡ２、ＤＡ５およびコーナー表示領域ＤＡ３、ＤＡ６に対応する周囲表示領域ＤＡ１０を含むことができる。フロント表示領域ＤＡ９のコーナーＣＮは尖っていなく丸い形態を有してもよい。これにより、周囲表示領域ＤＡ１０が曲面を成す表示装置１０００ｃのコーナーＣＮの形態が完ぺきで秀麗な曲面を成すことができ、周囲表示領域ＤＡ１０とフロント表示領域ＤＡ９の間の境界がさらに完ぺきな丸い形態を成して角として認識される部分がないことになる。
【０１０４】
以下、図１５および図１６を参照して一実施形態による表示装置を製造する方法について説明する。特に、カバーウィンドウに製造された表示パネルをラミネートする方法について説明する。図３に示した偏光層２０は便宜上省略した。
【０１０５】
まず、図１５を参照すれば、ラミネート装置は形状パッド３００および形状パッド３００の縁に位置する縁パッド３５０ａを含むパッド部を含むことができる。図示していないが、パッド部の下にはジグがさらに配置され得る。
【０１０６】
縁パッド３５０ａの弾性係数（モジュラスとも言う）は形状パッド３００の弾性係数より低いため形状が変わりやすい。縁パッド３５０ａは形状パッド３００の上部の縁に沿って形成されていてもよい。これとは異なり、縁パッド３５０ａはエアポンプを含むかエアポンプに接続され、縁パッド３５０ａの形態および体積が空気圧によって可変であってもよい。
【０１０７】
表示パネル１０の下面に粘着シート５０を付着させた後、パッド部の上に表示パネル１０を位置させる。このとき、形状パッド３００より高い弾性を有する縁パッド３５０ａの場合、縁パッド３５０ａが最小体積を有するように粘着シート５０を下側方向Ｆ１に引張ることができる。このとき、表示パネル１０の縁領域は実質的に延長されなくてもよく、曲面を成す縁領域１０ｒａを成すことができる。縁パッド３５０ａがエアポンプを含むかエアポンプに接続されている場合、縁パッド３５０ａは最小空気圧で最小体積を有する状態であり得る。
【０１０８】
その次に、前述のようなカバーウィンドウ４０の下面に粘着層３０を形成した後、カバーウィンドウ４０をパッド部の上に位置させる。カバーウィンドウ４０は、曲がって曲面を成す縁領域４０ｒを含むことができる。
【０１０９】
次いで、パッド部の下のジグが上昇することによって形状パッド３００の上の表示パネル１０の中央部が先に粘着層３０と接触できる。粘着層３０と接触する表示パネル１０の中央部は前述のフロント表示領域ＤＡ１、ＤＡ４に対応する。このとき、表示パネル１０の縁領域１０ｒａはカバーウィンドウ４０の下の粘着層３０と接触しないように粘着シート５０の方向を調節することができる。
【０１１０】
その次に、図１６に示すように、縁パッド３５０ａの体積を大きくする。このため、形状パッド３００より高い弾性を有する縁パッド３５０ａの場合、縁パッド３５０ａの体積が大きくなるように粘着シート５０を引張る方向Ｆ２を調節することができる。このとき、まだ粘着層３０と接触していない表示パネル１０の縁領域１０ｒａは延伸されて前述の様々な実施形態のサイド表示領域ＤＡ２、ＤＡ５とコーナー表示領域ＤＡ３、ＤＡ６の曲面を成す縁領域１０ｒを成すことができる。縁パッド３５０ａがエアポンプを含むかエアポンプに接続されている場合、空気圧を増加させ縁パッド３５０ａの体積が大きくなり得る。この過程で表示パネル１０の縁領域１０ｒも粘着層３０と接触して表示パネル１０全体がカバー粘着層３０を介してウィンドウ４０と接着し得る。表示パネル１０の縁領域１０ｒの形態は前述の様々な実施形態による曲面を有する形態を有してもよい。
【０１１１】
最後に、粘着シート５０を除去することができる。
【０１１２】
これによれば、表示装置のコーナーに位置する丸い形態のコーナー表示領域ＤＡ３、ＤＡ６を容易に製造することができる。
【０１１３】
次いで、図１７および図１８を参照して、様々な実施形態による表示装置の表示領域に位置する表示単位ＵＴの例について説明する。
【０１１４】
図１７は、前述の様々な実施形態で延伸および／または収縮可能の必要がない表示領域ＤＡｇ、例えばフロント表示領域ＤＡ１、ＤＡ４またはサイド表示領域ＤＡ５に配置され得る表示単位ＵＴの例を示す。表示領域ＤＡｇは基板１１０ａを含み、基板１１０ａはフレキシブルであるか剛性であり得るが、実質的に延伸および／または収縮されなくてもよい。表示単位ＵＴは前述のようにそれぞれが一つの基本色の光を出すことができる画素（Ｒ、Ｇ、Ｂ）であるか、互いに異なる基本色を示す複数の画素（Ｒ、Ｇ、Ｂ）であり得る。
【０１１５】
図１８は、前述の様々な実施形態で延伸および／または収縮可能な表示領域ＤＡｓ、例えばコーナー表示領域ＤＡ３、ＤＡ６またはサイド表示領域ＤＡ２に配置され得る表示単位ＵＴの例を示す。表示領域ＤＡｓは基板１１０ｂを含み、基板１１０ｂは構造的または材料的に延伸および／または収縮が可能である。構造的に延伸および／または収縮が可能な基板１１０ｂは、図１８に示したように、複数のメイン部１１１および隣接したメイン部１１１を互いに連結する複数のブリッジＢＲを含むことができる。各ブリッジＢＲは多様な曲率半径を有して屈曲されているため容易に曲がり、表示領域ＤＡｓに力が加えられると、表示領域ＤＡｓの基板１１０ｂはメイン部１１１の損傷なく容易に延伸および／または収縮され得る。基板１１０ｂが延伸および／または収縮される場合、ブリッジＢＲの形態に変化が生じ、メイン部１１１自体は変形することなく回転可能である。
【０１１６】
各メイン部１１１には複数の画素（Ｒ、Ｇ、Ｂ）が配置されてもよい。この場合、表示単位ＵＴは一つのメイン部１１１であるか一つの画素（Ｒ、Ｇ、Ｂ）であり得る。
【０１１７】
前述の図面と共に次の図１９〜図２３を参照して、様々な実施形態による表示装置の周辺領域について説明する。
【０１１８】
図１９は、一実施形態による表示装置の概略的な斜視図および断面図である。
【０１１９】
図１９を参照すれば、本実施形態による表示装置１０００ｄは前述の様々な実施形態による表示装置１０００、１０００ａ、１０００ｂ、１０００ｃとおおよそ同一であるが、サイド表示領域ＤＡ２とコーナー表示領域ＤＡ３を含む周辺領域の曲面の形態が異なってもよい。
【０１２０】
具体的に、前述の図２と図１９を共に参照すれば、表示装置１０００ｄを線ＬＡに沿って切断した断面を見た場合、サイド表示領域ＤＡ２とコーナー表示領域ＤＡ３の曲面が原点Ｏを基準として成す角αは、０°以上であり、９０°より小さくてもよい。図１９では、角αが０°より大きく９０°より小さい例を示す。即ち、サイド表示領域ＤＡ２とコーナー表示領域ＤＡ３との曲面上で線ＬＡが表示装置１０００ｄのエッジと接する点ＰＴからサイド表示領域ＤＡ２／コーナー表示領域ＤＡ３とフロント表示領域ＤＡ１の間の境界までの部分に対応する角αは、０°以上９０°未満であり得る。
【０１２１】
図２０は一実施形態による表示装置の概略的な斜視図および断面図であり、図２１〜図２３はそれぞれ一実施形態による表示装置の平面配置図である。
【０１２２】
図２０〜図２３に示した実施形態による表示装置は前述の様々な実施形態による表示装置１０００、１０００ａ、１０００ｂ、１０００ｃ、１０００ｄとおおよそ同一であるが、サイド表示領域ＤＡ２およびコーナー表示領域ＤＡ３のうちの一部のみが画像を表示する表示領域に含まれ得る。
【０１２３】
まず、図２０および図２１を参照すれば、本実施形態による表示装置１０００ｅは前述のサイド表示領域ＤＡ２とコーナー表示領域ＤＡ３との一部のみが画像を表示する表示領域になってサイド表示領域ＤＡ２ａおよびコーナー表示領域ＤＡ３ａになり、残り領域は非表示領域ＮＤになり得る。サイド表示領域ＤＡ２ａおよびコーナー表示領域ＤＡ３ａは境界ＤＴを基準としてフロント表示領域ＤＡ１に隣接し、表示装置１０００ｅのエッジに隣接した外側領域が非表示領域ＮＤになり得る。
【０１２４】
前述の図２と図２０を共に参照すれば、表示装置１０００ｅを線ＬＡに沿って切断した断面を見た場合、サイド表示領域ＤＡ２ａとコーナー表示領域ＤＡ３ａの曲面が原点Ｏを基準として成す角βは０°より大きく９０°より小さくてもよい。即ち、サイド表示領域ＤＡ２ａとコーナー表示領域ＤＡ３ａとの曲面上で線ＬＡが境界ＤＴと接する点からサイド表示領域ＤＡ２ａ／コーナー表示領域ＤＡ３ａとフロント表示領域ＤＡ１の間の境界までの部分に対応する角βは、０°より大きく９０°より小さくてもよい。
【０１２５】
一つの表示装置１０００ｅで、フロント表示領域ＤＡ１、サイド表示領域ＤＡ２ａおよびコーナー表示領域ＤＡ３ａが一つの連続した表示領域ＤＤを成すことができる。図２０および図２１に示した実施形態で、非表示領域ＮＤは表示領域ＤＤの周囲を囲む形態を有してもよい。
【０１２６】
図２２は、フロント表示領域ＤＡ１を基準として左側および右側に位置するサイド表示領域ＤＡ２および全体コーナー表示領域ＤＡ３が画像を表示しない非表示領域ＮＤに含まれる例を示す。即ち、フロント表示領域ＤＡ１とフロント表示領域ＤＡ１の上下側に位置するサイド表示領域ＤＡ２が一つの連続した表示領域を成すことができる。
【０１２７】
図２３を参照すれば、フロント表示領域ＤＡ１の一側または複数の側に複数の離隔したサイド表示領域ＤＡ２ｂが位置し、隣接のサイド表示領域ＤＡ２ｂの間またはサイド表示領域ＤＡ２ｂとコーナー表示領域ＤＡ３の間には非表示領域ＮＤが配置されてもよい。
【０１２８】
または、フロント表示領域ＤＡ１周囲の周辺領域の一部が前述の図２０および図２１に示した実施形態のように一部のみが画像を表示するサイド表示領域ＤＡ２ｃおよびコーナー表示領域ＤＡ３ｂになり、残り領域は非表示領域ＮＤになり得る。図２３は、フロント表示領域ＤＡ１を基準として下側にサイド表示領域ＤＡ２ｃおよびコーナー表示領域ＤＡ３ｂが位置し、その外側に非表示領域ＮＤが位置する例を示す。サイド表示領域ＤＡ２ｃおよびコーナー表示領域ＤＡ３ｂはフロント表示領域ＤＡ１に隣接し、非表示領域ＮＤは表示装置１０００ｇのエッジに隣接した外側に配置されてもよい。
【０１２９】
以上、本発明の実施形態について詳細に説明したが、本発明の権利範囲はこれに限定されず、次の請求範囲で定義している本発明の基本概念を用いた当業者の様々な変形および改良形態も本発明の権利範囲に属するのである。
【符号の説明】
【０１３０】
１０：表示パネル
２０：偏光層
３０：粘着層（または接着層）
４０：カバーウィンドウ
１０００：表示装置
ＤＡ１：フロント表示領域
ＤＡ２：サイド表示領域
ＤＡ３：コーナー表示領域
ＤＲ１：第１方向
ＤＲ２：第２方向
ＤＲ３：第３方向
ｒ：曲率半径
ＤＡｒ：曲面表示領域
ＵＴ：表示単位
【図１】
2020086425.tif 000003
【図２】
2020086425.tif 000004
【図３】
2020086425.tif 000005
【図４】
2020086425.tif 000006
【図５】
2020086425.tif 000007
【図６】
2020086425.tif 000008
【図７】
2020086425.tif 000009
【図８】
2020086425.tif 000010
【図９】
2020086425.tif 000011
【図１０】
2020086425.tif 000012
【図１１】
2020086425.tif 000013
【図１２】
2020086425.tif 000014
【図１３】
2020086425.tif 000015
【図１４】
2020086425.tif 000016
【図１５】
2020086425.tif 000017
【図１６】
2020086425.tif 000018
【図１７】
2020086425.tif 000019
【図１８】
2020086425.tif 000020
【図１９】
2020086425.tif 000021
【図２０】
2020086425.tif 000022
【図２１】
2020086425.tif 000023
【図２２】
2020086425.tif 000024
【図２３】
2020086425.tif 000025